(57)【要約】  【課題】  小動物が電極部に触れても誤動作することなく、人は操作しやすいタッチキーを提供することを目的とする。  【解決手段】  電気絶縁物よりなるパネル部１と、このパネル部１の表裏両面に設けた電極部２、３と、所定の周波数の電圧を出力して電極部３に印加する発振部４と、電極部３の出力電圧を検知する検知部５とを備え、電極部２は溝７を設け、電極部２を電気的に分割形成したものである。これにより、小動物が電極に触れることによる誤動作の可能性を小さくし、人は操作しやすいタッチキーを提供することができる。【選択図】  図１
2005050635.tif 000002
【特許請求の範囲】
【請求項１】
電気絶縁物よりなるパネル部と、このパネル部の表裏両面に設けた電極部と、所定の周波数の電圧を出力してパネル部の裏面に設けた電極部に印加する発振部と、前記電極部の出力電圧を検知する検知部とを備え、前記パネル部の表面に設けた電極部は、電気的に複数に分割形成したタッチキー。
【請求項２】
パネル部の表面に設けた電極部は、溝により電気的に複数に分割形成し、電極部に設けた溝の全てまたはその一部の幅を指のタッチする幅より小さく設定した請求項１に記載のタッチキー。
【請求項３】
電極部を電気的に複数に分割形成した溝は複数設け、この複数の溝が交差する位置を電極部のほぼ中央とした請求項１に記載のタッチキー。
【請求項４】
複数の溝が交差する位置を、電極部の中央を外した位置とした請求項１に記載のタッチキー。
【請求項５】
電気絶縁物よりなるパネル部と、このパネル部の表裏両面に設けた電極部と、所定の周波数の電圧を出力してパネル部の裏面に設けた電極部に印加する発振部と、前記電極部の出力電圧を検知する検知部とを備え、前記パネル部の表面に設けた電極部は、指でタッチする位置に穴を設けたタッチキー。
【請求項６】
穴の大きさを指のタッチする部分の大きさより小さく設定した請求項５に記載のタッチキー。
【請求項７】
パネル部の表面に設けた電極部に、指でタッチする位置を示すタッチマークを設けた請求項１〜６のいずれか１項に記載のタッチキー。
【請求項８】
タッチマークはタッチする指の面積より小さく設定した請求項７に記載のタッチキー。
【請求項９】
請求項１〜８のいずれか１項に記載のタッチキーを装備した電気機器。
【発明の詳細な説明】
【技術分野】
【０００１】
本発明は、パネル部に電極部を設けたタッチキーおよびそれを用いた電磁調理器などの電気機器に関するものである。
【背景技術】
【０００２】
従来、この種のタッチキーは、電気絶縁物よりなるパネル部の表裏両面に電極部を設け、両面の電極部とパネル部でコンデンサを形成しているものである（例えば、特許文献１参照）。
【０００３】
これは、表面の電極部に指で触れたとき、高周波電圧を裏面の電極部、パネル部、表面の電極部、指を通じてバイパスし、裏面の電極部に現れる電圧が指でタッチしないときの電圧より低下することを検知して、表面の電極部に触れたことを検知するものである。
【特許文献１】実開昭５７−１０６１５２号公報
【発明の開示】
【発明が解決しようとする課題】
【０００４】
しかしながら、このような従来の構成のものでは、人がいないときにパネル部の上を猫、ネズミ、犬などの小動物が乗ったとき、タッチキーの表面の電極部上を踏み、タッチキーを誤動作させてしまうという課題があった。
【０００５】
本発明は、前記従来の課題を解決するもので、パネル部の上に小動物が乗り電極部を踏んでも誤動作することを抑制したタッチキーを提供することを目的とするものである。
【課題を解決するための手段】
【０００６】
前記目的を達成するために、本発明のタッチキーは、パネル部の表面に設けた電極部を電気的に複数に分割形成したものである。
【０００７】
これにより、パネル部の上に小動物が乗り電極部を踏んでも、電極部の一部が動物を通じて接地されるだけで、所定の静電容量変化が得られず、従って所定の電圧降下が得られず、タッチキーをタッチしたとはみなさず誤動作が抑制され、人がタッチしたときは、分割形成した電極部上をタッチするようにし、人の指の静電容量、あるいは抵抗を通じて分割電極を統合し、所定の静電容量を得ることができ、所定の電圧降下を得てタッチキーを動作させることができるものである。
【発明の効果】
【０００８】
以上のように、本発明のタッチキーは、パネル部の表面に設けた電極部を電気的に複数に分割形成したことにより、パネル部の上に小動物が乗り電極部を踏んでも、電極部の一部が動物を通じて接地されるだけで、所定の静電容量変化が得られず、従って所定の電圧降下が得られず、タッチキーをタッチしたとはみなさず誤動作が抑制され、人がタッチしたときは、分割形成した電極部上をタッチするようにし、人の指の静電容量、あるいは抵抗を通じて分割電極を統合し、所定の静電容量を得ることができ、所定の電圧降下を得てタッチキーを動作させることができるものである。
【０００９】
また、本発明のタッチキーを装備した電気機器は、人がいないときでも安心して、かつ便利に使用することができるものである。
【発明を実施するための最良の形態】
【００１０】
請求項１に記載の発明は、電気絶縁物よりなるパネル部と、このパネル部の表裏両面に設けた電極部と、所定の周波数の電圧を出力してパネル部の裏面に設けた電極部に印加する発振部と、前記電極部の出力電圧を検知する検知部とを備え、前記パネル部の表面に設けた電極部は、電気的に複数に分割形成したタッチキーとすることにより、パネル部の上に小動物が乗り電極部を踏んでも、電極部の一部が動物を通じて接地されるだけで、所定の静電容量変化が得られず、従って所定の電圧降下が得られず、タッチキーをタッチしたとはみなさず誤動作が抑制され、人がタッチしたときは、分割形成した電極部上をタッチするようにし、人の指の静電容量、あるいは抵抗を通じて分割電極を統合し、所定の静電容量を得ることができ、所定の電圧降下を得てタッチキーを動作させることができるものである。
【００１１】
請求項２に記載の発明は、パネル部の表面に設けた電極部は、溝により電気的に複数に分割形成し、電極部に設けた溝の全てまたはその一部の幅を指のタッチする幅より小さく設定した請求項１に記載のタッチキーとすることにより、小動物による誤動作を抑制しつつ、人によるタッチは検知しやすいものとすることができる。
【００１２】
請求項３に記載の発明は、電極部を電気的に複数に分割形成した溝は複数設け、この複数の溝が交差する位置を電極部のほぼ中央とした請求項１に記載のタッチキーとすることにより、小動物による誤動作を抑制しつつ、人によるタッチの操作性をよくし、かつ検知しやすいものとすることができる。
【００１３】
請求項４に記載の発明は、複数の溝が交差する位置を、電極部の中央を外した位置とした請求項１に記載のタッチキーとすることにより、タッチ位置がズレていることで小動物による誤動作がより一層抑制され、人によるタッチの操作性は損なわず検知しやすいものとすることができる。
【００１４】
請求項５に記載の発明は、電気絶縁物よりなるパネル部と、このパネル部の表裏両面に設けた電極部と、所定の周波数の電圧を出力してパネル部の裏面に設けた電極部に印加する発振部と、前記電極部の出力電圧を検知する検知部とを備え、前記パネル部の表面に設けた電極部は、指でタッチする位置に穴を設けたタッチキーとすることにより、小動物による誤動作を抑制しつつ、人によるタッチの操作性はよく、かつ検知しやすいものとすることができる。
【００１５】
請求項６に記載の発明は、穴の大きさを指のタッチする部分の大きさより小さく設定した請求項５に記載のタッチキーとすることにより、小動物による誤動作を抑制しつつ、人によるタッチの操作性はより一層よくなり、検知しやすいものとすることができる。
【００１６】
請求項７に記載の発明は、パネル部の表面に設けた電極部に、指でタッチする位置を示すタッチマークを設けた請求項１〜６のいずれか１項に記載のタッチキーとすることにより、小動物による誤動作を抑制しつつ、人によるタッチは視認により操作性が一層よくなり、検知しやすいものとすることができる。
【００１７】
請求項８に記載の発明は、タッチマークはタッチする指の面積より小さく設定した請求項７に記載のタッチキーとすることにより、人によるタッチの操作性と検知が一層よくなるものである。
【００１８】
請求項９に記載の発明は、請求項１〜８のいずれか１項に記載のタッチキーを装備した電気機器とすることにより、人がいないときでも安心して、かつ便利に電磁調理器などの電気機器を使用することができるものである。
【実施例１】
【００１９】
以下、本発明の実施例について、図面を用いて説明する。
【００２０】
（実施例１）
図１は本発明の実施例１におけるタッチキーを示すものである。
【００２１】
図に示すように、パネル部１はガラス、プラスチックなどの電気絶縁物よりなり、その表面に電極部２を、裏面には電極部３をそれぞれ設けている。電極部２は指６でタッチするためのもので、溝７により２個の電極２ａ、２ｂに分割形成されている。溝７の全ての幅は指６のタッチする幅より小さく設定されているものである。発振部４は高周波電圧を発生し、この高周波電圧を電極部３に接触する接触電極３ａを通じて電極部３に印加している。検知部５は、指６で電極部３に触れたときの電圧を検知するものである。
【００２２】
前記した電極２ａと電極部３、または電極２ｂと電極部３で構成するコンデンサは電極２ａ、２ｂの面積が小さいため静電容量が小さく、電極２ａ、２ｂを個々にタッチしても発振部４からの高周波電圧は余り減衰せず、検知部５ではタッチしたと認識しないものである。一方、電極部２の溝７部分を指６でタッチしたとき、電極２ａと２ｂは指６の静電容量または抵抗で短絡されるため、電極部２の面積は２ａと２ｂの和となり、電極部３で構成するコンデンサの静電容量値は大きくなる。従って、発振部４からの高周波電圧は溝７を指６でタッチすることにより十分減衰され、検知部５での検知電圧はタッチしないときの電圧とタッチしたときの電圧差が大きくなり、電極部２をタッチしたと認識するものである。
【００２３】
このように構成することにより、パネル部１の上に小動物が乗り電極部２を踏んでも、電極部２の一部が動物を通じて接地されるだけで、所定の静電容量変化が得られず、従って所定の電圧降下が得られず、タッチキーをタッチしたとはみなさず誤動作が抑制されるものである。また、人がタッチしたときは、分割形成した電極部２上をタッチするようにし、人の指の静電容量、あるいは抵抗を通じて分割電極を統合し、所定の静電容量を得ることができ、所定の電圧降下を得てタッチキーを動作させることができるものである。
【００２４】
（実施例２）
次に、図２は本発明の実施例２におけるタッチキーの電極部を示すものである。実施例１と同一要素については同一符号を付して説明を省略する。
【００２５】
図に示すように、本実施例における電極部２の溝７は、人がタッチしない部分は広く、人がタッチする部分８は狭くし、人のタッチする指の幅以下にしたものである。
【００２６】
このように構成することで、小動物による誤動作を抑制しつつ、人によるタッチは操作しやすく検知しやすいものとすることができる。
【００２７】
（実施例３）
次に、図３、図４は本発明の実施例３におけるタッチキーの電極部を示すものである。実施例１と同一要素については同一符号を付して説明を省略する。
【００２８】
図３に示すように、本実施例における電極部２の溝７は、十文字状に２本設けて電極部２を４分割形成（電極２ａ〜２ｄ）し、複数の溝７が交差する位置を電極部２のほぼ中央としたものである。そして、人がタッチするときは、溝７の交差する部分９をタッチし、４個の電極２ａ〜２ｄを指６によって統合するものである。また、小動物が１つの溝にまたがってタッチしても、タッチキーは動作しないものである。
【００２９】
このように構成することで、小動物による誤動作を抑制しつつ、人によるタッチは操作しやすく検知しやすいものとすることができる。
【００３０】
さらに、図４に示すものは、人がタッチする部分１０の溝７の幅は狭く、人のタッチしない部分は溝７の幅を広くしたものであり、この構成では、小動物による誤動作の可能性はさらに小さくし、人はさらに操作しやすくなるものである。
【００３１】
（実施例４）
次に、図５は本発明の実施例４におけるタッチキーの電極部を示すものである。実施例１と同一要素については同一符号を付して説明を省略する。
【００３２】
図に示すように、本実施例における電極部２の溝７は、複数本設けて、電極部２を複数に分割形成（電極２ａ〜２ｆ）し、人がタッチするときは、溝７の交差する部分１１を電極部２の中央を外し片側に寄せた位置としたものである。
【００３３】
このように構成することで、通常、人が電極部２をタッチするとき、中央部をタッチするが、タッチ位置がズレていることで小動物による誤動作がより一層抑制され、人によるタッチの操作性は損なわず検知しやすいものとすることができる。
【００３４】
（実施例５）
次に、図６は本発明の実施例５におけるタッチキーの電極部を示すものである。実施例１と同一要素については同一符号を付して説明を省略する。
【００３５】
図に示すように、本実施例における電極部２は、指６でタッチする位置に穴１２を設けたものである。この穴１２の大きさは指６のタッチする部分１３の大きさより小さく設定されているものである。
【００３６】
このように構成することで、人がタッチするときに穴１２の部分をタッチし、指６で穴１２をふさぎ、電極部２の面積を確保するものである。人がタッチしないときは、電極部２は穴１２があいた状態なので、電極部２は所定の面積が得られず、電極部２に小動物がタッチしても動作しないようにしたものである。これにより、小動物による誤動作を抑制しつつ、人によるタッチの操作性はよく、かつ検知しやすいものとすることができる。
【００３７】
（実施例６）
次に、図７、図８は本発明の実施例６におけるタッチキーの電極部を示すものである。実施例１と同一要素については同一符号を付して説明を省略する。
【００３８】
図７に示すように、本実施例における電極部２は、人がタッチすべき場所にタッチマーク１４を設け、このタッチマーク１４をタッチすることにより確実に操作できるようにしたものである。なお、タッチマーク１４はタッチする指の面積より小さく設定し、人によるタッチの操作性と検知を一層よくしているものである。
【００３９】
このように構成することで、小動物による誤動作を抑制しつつ、人によるタッチは視認により操作性が一層よくなり、検知しやすいものとすることができる。
【００４０】
なお、実施例３に示した電極部２の溝７の交差部にタッチマーク１４を設けた場合を示したが、このとき電極部２は透明電極などにし、人の目に見えるのはタッチマーク１４のみとし、デザイン的に考慮したものにしてもよい。また、図８に示すように、タッチキーの機能を示す文字を入れたタッチマーク１５を用いて使いやすくしてもよい。さらに、実施例３の構成に限らず、各実施例におけるタッチ部にタッチマーク１４あるいは１５を設ければ、使いやすくすることができる。
【００４１】
（実施例７）
次に、図１０は本発明の実施例７におけるタッチキーを装備した電気機器を示すものである。実施例１と同一要素については同一符号を付して説明を省略する。
【００４２】
本実施例における電気機器としては、電磁調理器２７を例示している。この電磁調理器２７のパネル部１には、４分割のタッチキー１９、２０、２１を装備している。
【００４３】
タッチキー１９を設定温度の下降、タッチキー２０を電源の入り／切り、タッチキー２１を設定温度の上昇としたとき、人がいなくて小動物がパネル部１上に乗っても、電源を入れる、あるいは設定温度を上げるなどの危険なことのない、また小動物によって電源を切る、設定温度を下げるなどの誤動作のない電磁調理器が提供できる。すなわち、人がいないときでも安心して、かつ便利に電磁調理器などの電気機器を使用することができるものである。
【００４４】
また、小動物による誤動作防止以外の利点として、調理中、水や汁が吹きこぼれて、どれかの電極部にタッチしても、温度が上昇あるいは下降、電源が勝手に切れるあるいは入るなどの可能性の少ない安全な使いやすい電磁調理器などを提供できるものである。
【図面の簡単な説明】
【００４５】
【図１】本発明の実施例１におけるタッチキーの側面図
【図２】本発明の実施例２におけるタッチキーの電極部の平面図
【図３】本発明の実施例３におけるタッチキーの電極部の平面図
【図４】同タッチキーの他の構成を示す電極部の平面図
【図５】本発明の実施例４におけるタッチキーの電極部の平面図
【図６】本発明の実施例５におけるタッチキーの電極部の平面図
【図７】本発明の実施例７におけるタッチキーの電極部の平面図
【図８】同タッチキーにおける他のタッチマークを示す平面図
【図９】本発明の実施例８における電気機器を示す平面図
【符号の説明】
【００４６】
１  パネル部
２、３  電極部
２ａ〜２ｆ  電極
４  発振部
５  検知部
７  溝
１２  穴
１４、１５  タッチマーク
【図１】
2005050635.tif 000003
【図２】
2005050635.tif 000004
【図３】
2005050635.tif 000005
【図４】
2005050635.tif 000006
【図５】
2005050635.tif 000007
【図６】
2005050635.tif 000008
【図７】
2005050635.tif 000009
【図８】
2005050635.tif 000010
【図９】
2005050635.tif 000011